(57)【要約】【課題】ＰＯＳレジスタであって、装置本体部に対して店員用表示部の傾斜角度を変更する場合であっても、掲示物を良好な視認性で掲示することができるＰＯＳレジスタを提供する。【解決手段】商品情報に関する入力および表示を行うＰＯＳレジスタであって、装置本体部１に対して角度調整自在に設けられた店員用表示部３と、店員用表示部３の背面側または上部に設けられ、掲示物Ｋを担持可能な担持部９とを有する。担持部９は店員用表示部３に対して角度調整自在に設けられている。【選択図】図７
2014229285.tif 000002
【特許請求の範囲】
【請求項１】
商品情報に関する入力および表示を行うＰＯＳレジスタであって、
装置本体部に対して角度調整自在に設けられた店員用表示部と、
前記店員用表示部の背面側または上部に設けられ、掲示物を担持可能な担持部と、を有し、
前記担持部は、前記店員用表示部に対して角度調整自在に設けられている
ことを特徴とするＰＯＳレジスタ。
【請求項２】
顧客用表示部を有し、
前記担持部は、前記顧客用表示部と一体に形成されていることを特徴とする請求項１に記載のＰＯＳレジスタ。
【発明の詳細な説明】
【技術分野】
【０００１】
本発明は、ＰＯＳレジスタに関する。
【背景技術】
【０００２】
店員により操作される操作表示部を有するＰＯＳレジスタが知られている。
また、装置本体部に対する傾斜角度を調整可能な操作表示部を備えるＰＯＳレジスタが知られている（例えば、特許文献１参照）。このＰＯＳレジスタでは、操作表示部の傾斜角度を手動にて調整することで、身長の異なる店員毎に視認性や操作性が向上する。
【先行技術文献】
【特許文献】
【０００３】
【特許文献１】特開２００７−２４９４５４号公報
【発明の概要】
【発明が解決しようとする課題】
【０００４】
しかしながら、広告紙などの掲示物を、顧客側に向けて、店員用表示部の背面に単純に固定した構成のＰＯＳレジスタの場合、店員用表示部の傾斜角度を変更すると、掲示物も同様に傾き、顧客に対して掲示物を見やすい角度で掲示することができないことがある。
【０００５】
本発明は、上述した問題に鑑みてなされたもので、装置本体部に対する店員用表示部の傾斜角度を変更する場合であっても、広告媒体などの掲示物を、良好な視認性で顧客に掲示することができるＰＯＳレジスタを提供すること、などを目的とする。
【課題を解決するための手段】
【０００６】
本発明のＰＯＳレジスタは、商品情報に関する入力および表示を行うＰＯＳレジスタであって、装置本体部に対して角度調整自在に設けられた店員用表示部と、店員用表示部の背面側または上部に設けられ、掲示物を担持可能な担持部と、を有し、担持部は、店員用表示部に対して角度調整自在に設けられていることを特徴とする。
【発明の効果】
【０００７】
本発明によれば、店員用表示部の背面側に掲示物を担持する担持部を備えるＰＯＳレジスタであって、装置本体部に対する店員用表示部の傾斜角度を変更した場合であっても、広告媒体などの掲示物を顧客に見やすいように掲示可能なＰＯＳレジスタを提供することができる。
【図面の簡単な説明】
【０００８】
【図１】本発明の実施形態に係るＰＯＳレジスタの一例を示す図、（ａ）は正面図、（ｂ）は背面図。
【図２】ＰＯＳレジスタの一例を示す図、（ａ）は平面図、（ｂ）は底面図。
【図３】ＰＯＳレジスタの一例を示す図、（ａ）は右側面図、（ｂ）は左側面図。
【図４】ＰＯＳレジスタの正面斜視図。
【図５】本発明の実施形態に係るＰＯＳレジスタの一例を示す背面斜視図。
【図６】本発明の実施形態に係るＰＯＳレジスタに掲示物を掲示した状態の一例を示す背面斜視図。
【図７】本発明の実施形態に係るＰＯＳレジスタの動作の一例を示す図。
【図８】本発明の実施形態に係るＰＯＳレジスタの顧客用表示部の動作の一例を示す図。
【図９】本発明の実施形態に係るＰＯＳレジスタの担持部の一例を示す図、（ａ）は担持部の正面図、（ｂ）は背面図。
【図１０】本発明の実施形態に係るＰＯＳレジスタの担持部の一例を示す図、（ａ）は担持部の平面図、（ｂ）は底面図。
【図１１】本発明の実施形態に係るＰＯＳレジスタの担持部の一例を示す図、（ａ）は右側面図、（ｂ）は左側面図。
【図１２】本発明の実施形態に係るＰＯＳレジスタの担持部の拡大平面図、（ａ）は担持部の一例を示す平面図、（ｂ）は（ａ）に示したＢ−Ｂ’線に沿った縦断面図。
【図１３】本発明の実施形態に係るＰＯＳレジスタの担持部の一例を示す図、（ａ）のヒゲ部を有する担持部の一例を示す図、（ｂ）は弾性体に溝部を形成した担持部の一例を示す図、（ｃ）は溝部にローラーを設けた担持部の一例を示す図。
【図１４】本発明の他の実施形態に係るＰＯＳレジスタの掲示物を上方に向けて担持する担持部の一例を示す図。
【図１５】本発明の実施形態のＰＯＳレジスタの他の例を示す図。
【発明を実施するための形態】
【０００９】
本発明の実施形態に係るＰＯＳレジスタ（金銭登録機）を、図面を参照しながら説明する。本発明の実施形態に係るＰＯＳレジスタ（金銭登録機）は、例えば、商品に係る金銭等の出納の記録、計算、表示を自動的に行い、金銭の保管に関する処理を行う機器である。
【００１０】
図１から図４は、本発明の実施形態に係るＰＯＳレジスタ１００の全体斜視図である。詳細には、図１（ａ）は正面図、図１（ｂ）は背面図、図２（ａ）は平面図、図２（ｂ）は底面図、図３（ａ）は右側面図、図３（ｂ）は左側面図、図４は正面斜視図、図５は背面斜視図である。
図６はＰＯＳレジスタ１００に掲示物Ｋを掲示した状態の一例を示す背面斜視図である。図７はＰＯＳレジスタ１００の動作の一例を示す図である。図８はＰＯＳレジスタ１００の顧客用表示部４の動作の一例を示す図である。
【００１１】
図９はＰＯＳレジスタ１００の担持部９の一例を示す図である。詳細には図９（ａ）は担持部９の正面図、図９（ｂ）は背面図である。図１０はＰＯＳレジスタ１００の担持部９の一例を示す図、図１０（ａ）は担持部９の平面図、図１０（ｂ）は底面図、図１１（ａ）は右側面図、図１１（ｂ）は左側面図、図１２（ａ）は担持部９の一例を示す平面図、図１２（ｂ）は図１２（ａ）に示したＢ−Ｂ’線に沿った縦断面図である。
【００１２】
本発明の実施形態に係るＰＯＳレジスタ１００は、装置本体部１と、店員用表示部３と、顧客用表示部４と、掲示物を担持する担持部９と、などを有する。また、ＰＯＳレジスタ１００は、装置本体部１または店員用表示部３などに設けられた入力部２などを有する。
【００１３】
＜装置本体部１＞
装置本体部１は、レシート発行部としてのプリンタ１ａと、入力部２と、制御部（不図示）と、などを有する。プリンタ１ａは、制御部の制御により、商品の名称、商品の価格、日付、などの商品情報に関する印字を行う。
また、装置本体部１は、メモリカードなどに記憶されたデータなどを読み取る読取装置、バーコードリーダを接続する接続部、などを有していてもよい。
【００１４】
＜入力部２＞
入力部２は、装置本体部１の上部などに設けられている。入力部２は、テンキー、シフトキー、エンターキー等のキー入力部、などの所定の複数個のキーを有しており、操作者（オペレータ）の操作などに応じた信号を制御部に出力する。
入力部２は、ハードウェアスイッチ（ボタン）であってもよいし、タッチパネルなどを店員用表示部３に設け、そのタッチパネルなどを利用したソフトウェアキーボードなどであってもよい。また、入力部２は、バーコードリーダを備えていてもよい。
【００１５】
＜店員用表示部３＞
店員用表示部３は、装置本体部１の上部に設けられている。店員用表示部３は、制御部の制御により、商品に関する商品情報、商品の価格情報、などの各種情報を表示する。
また、店員用表示部３はタッチパネルなどを備えていてもよく、そのタッチパネルを利用したソフトウェアキーボードなどの機能を兼ね備えていてもよい。
店員用表示部３は、店員用表示部３は、装置本体部１に対して角度調整自在に設けられている。つまり、店員用表示部３は、所定の傾斜角度の範囲内で傾斜角度を調整可能に、回動自在に支持されている。詳細には、店員用表示部３は、装置本体部１の上部に起立固定された支持体５に、ヒンジ６（回動支持部）を介して前後回動可能に取り付けられている。店員用表示部３の下部や中央部にヒンジ６（回動支持部）が配置されていてもよい。
【００１６】
＜顧客用表示部４＞
顧客用表示部４は、店員用表示部３の背面側に傾斜角度を調整自在に設けられている。
顧客用表示部４は、詳細には、店員用表示部３の背面側の上部に、傾斜角度を調整自在に設けられていてもよい。
この顧客用表示部４は、店員（オペレータ）が入力部２や店員用表示部３のタッチパネルなどにより入力した購入商品の合計金額などを表示可能に構成されている。
尚、顧客用表示部４は、この形態に限られるものではなく、タッチパネルなどの入力装置を備えていてもよい。
本実施形態では、顧客用表示部４は、横長など所定サイズの表示器４ａを樹脂製の枠体４ｂに組み込んで構成されている。顧客用表示部４は、装置本体部１の上部で、店員用表示部３の後方（背面側）に、表示面を会計精算する顧客側に向けることが可能に台座部９ａ上に設けられている。
顧客用表示部４は、その枠体の下縁部に、掲示物Ｋを担持する担持部９を備える。
【００１７】
＜担持部９＞
担持部９は、店員用表示部３の背面側に設けられ、掲示物Ｋを担持可能に構成されている。また、担持部９は、店員用表示部３に対して角度調整自在に設けられている。担持部９は、掲示物Ｋを下方に吊り下げるタイプ、掲示物Ｋを上方に向かって支持するタイプ、クリップやフックなどで掲示物Ｋを担持するタイプなどを挙げることができる。
本実施形態では、掲示物Ｋを下方に吊り下げるタイプの担持部を説明する。
【００１８】
本実施形態では、担持部９は、台座部９ａを有する。
【００１９】
図１３は本発明の実施形態に係るＰＯＳレジスタ１００の担持部９の一例を示す図である。詳細には、図１３（ａ）はヒゲ部を有する担持部９の一例を示す図、図１３（ｂ）は弾性体に溝部を形成した担持部９の一例を示す図、図１３（ｃ）は溝部にローラーを設けた担持部の一例を示す図である。
【００２０】
＜台座部９ａ＞
台座部９ａは、ヒンジ部９ｄを介して店員用表示部３に回動自在に設けられている。
詳細には、台座部９ａは、店員用表示部３側の端部付近に回転軸を備えるヒンジ部９ｄを有し、ヒンジ部９ｄを介して、店員用表示部３の上部に、店員用表示部３に対して傾斜角度を調整自在に設けられている。この回転軸は、水平方向に、且つ、店員用表示部３の上端の左右方向（長手方向）に沿うように配置されている。
また、台座部９ａは、掲示物Ｋを係合する溝部９ｅを備える。この溝部９ｅは、ヒンジ部９ｄよりも所定距離だけ後方側（図３（ａ）に示す右側）の位置に形成されている。つまり、担持部９の溝部９ｅで担持された掲示物Ｋと、店員用表示部３の背面との間に空間を有するように、ＰＯＳレジスタ１００が構成されている。このため、掲示物Ｋと店員用表示部３の背面とが接触することなく、且つ、掲示物Ｋを歪みなく、担持部９により店員用表示部３の背面側に担持することができる。
【００２１】
図１３（ａ）に示した例では、溝部９ｅ内には、掲示物Ｋと係合するヒゲ部９ｆが設けられている。詳細には、台座部９ａの溝部９ｅ内には、溝部９ｅの内面の両側面から、斜め上向きに突起状部が突出し、それらが上下方向に所定の間隔をあけて複数設けられている。
【００２２】
詳細には、図１３（ａ）に示した例では、ヒゲ部９ｆは、樹脂材料などの弾性材料により形成されている。台座部９ａは、詳細には、略直方体形状に形成された直方体形状部９ｂと、直方体形状部９ｂの上部に備えられた、略円柱形状、または、略円錐台形状に形成された円柱形状部９ｃと、を有する。図１３（ａ）に示した例では、掲示物Ｋを差し込む際に僅かな力でヒゲ部９ｆに係合し、掲示物Ｋを引き出す際に、摩擦抵抗が大きく、比較的大きな力を要するように構成されている。
【００２３】
図１３（ｂ）に示した例では、担持部９の溝部９ｅには、細溝を備えた樹脂などの弾性材９ｋが設けられている。この細溝は、掲示物Ｋが係合可能に構成されている。詳細には、図１３（ｂ）に示した例では、掲示物Ｋを差し込む際に僅かな力で細溝に係合し、掲示物Ｋを引き出す際に、摩擦抵抗が大きく、比較的大きな力を要するように構成されている。
【００２４】
図１３（ｃ）に示した例では、担持部９の溝部９ｅには、複数の小型ローラー９ｎが上下方向に所定の間隔をあけて設けられており、掲示物Ｋを担持可能に構成されている。詳細には、図１３に示した例では、小型ローラー９ｎは、所定の隙間をあけて配置され、掲示物Ｋを差し込む際に僅かな力で回転するように構成され、掲示物Ｋを引き出す際に、比較的大きな力で回転、又は、回転しないように構成されている。
【００２５】
＜直方体形状部９ｂ＞
直方体形状部９ｂは、掲示物を係合する溝部９ｅを有する。本実施形態では、直方体形状部９ｂの溝部９ｅは、下方に向けて開口した形状であり、且つ、左右にも開口した形状に形成された構造となっている。
【００２６】
＜円柱形状部９ｃ＞
円柱形状部９ｃは、直方体形状部９ｂの上部に設けられている。円柱形状部９ｃの上部には、顧客用表示部４が備えられている。図９に示したように、本実施形態では、顧客用表示部４が、円柱形状部９ｃに左右方向に回転自在に軸支されている。この回転可能な角度の範囲は、図９に示した例では、±１０°程度である。
【００２７】
尚、上記ＰＯＳレジスタ１００は、制御部、記憶部（メモリ）、入力部、出力部、などを有する（不図示）。制御部は、ＣＰＵなどにより構成され、記憶部などに記憶された制御プログラムを実行する。記憶部は、ＲＡＭ、ＲＯＭ、などを有し、制御プログラムなどを記憶する。入力部は、操作者（店員や顧客など）の操作に応じた信号を制御部に出力する。出力部は、店員用表示部３、顧客用表示部４、プリンタ１ａなどである。
【００２８】
次に、本発明の実施形態に係るＰＯＳレジスタ１００の動作の一例を説明する。
【００２９】
図５、図６に示したように、例えば、店員などにより、担持部９の溝部９ｅに、商品広告などが印刷された掲示物Ｋ（紙、厚紙、ラミネート加工された印刷物など）を差し込むことにより、担持部９が掲示物Ｋを担持する。
【００３０】
また、図７に示したように、装置本体部１に対する店員用表示部３の傾斜角度を変更する場合であっても、広告媒体などの掲示物Ｋが垂直に吊り下がるように、担持部９を店員用表示部３に対して傾斜角度を調整する。こうすることで、店員用表示部３の傾斜角度を変更した場合であっても、担持部９の傾斜角度を調整することにより、担持部９により担持された掲示物Ｋが垂直に吊り下がり、視認性を低下させることなく、視認性を維持することができる。
【００３１】
また、図８に示したように、顧客用表示部４を上面視で左右方向のうち任意の方向に所望の角度だけ回転させた場合、その回転に応じて、担持部９により担持される掲示物Ｋを、顧客用表示部４の表示方向と、掲示物Ｋの表示方向とが一致または略一致するように、回転させてもよい。こうすることで、顧客用表示部４と掲示物Ｋを良好な視認性で顧客に示すことができる。
【００３２】
以上、説明したように、本発明の実施形態に係るＰＯＳレジスタ１００は、商品情報に関する入力および表示を行う。詳細には、ＰＯＳレジスタ１００は、装置本体部１に対して角度調整自在に設けられた店員用表示部３と、店員用表示部３の背面側に設けられ、掲示物を担持可能な担持部９と、を有する。担持部９は、店員用表示部３に対して角度調整自在に設けられている。
このため、図７に示したように、装置本体部１に対する店員用表示部３の傾斜角度を変更する場合であっても、例えば、広告媒体などの掲示物Ｋが垂直に吊り下がるように、担持部９を店員用表示部３に対して傾斜角度を調整することにより、良好な視認性で顧客に掲示可能なＰＯＳレジスタ１００を提供することができる。
【００３３】
また、本発明の実施形態に係るＰＯＳレジスタ１００は、担持部９が、店員用表示部３の背面側の上部に、角度調整自在に設けられている。このため、担持部９が、店員用表示部の背面側の中央部分や下端にある場合と比較して、大型の掲示物Ｋを、顧客にとって良好な視認性を有するように掲示を行うことができる。
【００３４】
また、本発明の実施形態に係るＰＯＳレジスタ１００は、顧客用表示部４を有し、担持部９は、顧客用表示部と一体に形成されている。詳細には、担持部９の直方体形状部９ｂと、その直方体形状部９ｂに設けられた円柱形状部９ｃ上に、顧客用表示部４が設けられている。
こうすることで、店員用表示部３の傾斜角度を変えた場合であっても、例えば、顧客用表示部４の表示面を水平面に対して略垂とし、且つ、担持部９に担持された掲示物Ｋを略垂直面となるように、担持部９の傾斜角度を調整することで、良好に、顧客用表示部４に表示された商品に関する情報（価格など）を顧客に示すことができ、且つ、担持部９により担持された掲示物Ｋを良好な視認性で顧客に示すことができる。
【００３５】
また、本発明の実施形態に係るＰＯＳレジスタ１００は、担持部９が掲示物Ｋを下方に向けて担持する、または、掲示物Ｋを上方に向けて担持するように構成されている。
【００３６】
ＰＯＳレジスタ１００は、上記実施形態に限られるものではない。
図１４は、本発明の他の実施形態に係るＰＯＳレジスタ１００の掲示物Ｋを上方に向けて担持する担持部９の一例を示す図である。
図１４に示したように、ＰＯＳレジスタ１００は、掲示物Ｋを上方に向けて担持する担持部９を有していてもよい。この担持部９は、店員用表示部の背面側に設けられ、掲示物を上方に向けて担持可能であり、店員用表示部に対して角度調整自在に設けられている。このように簡単な構成で、掲示物Ｋを顧客に良好な視認性で提示可能なＰＯＳレジスタ１００を提供することができる。
【００３７】
物品としてのＰＯＳレジスタ（金銭登録機）は、商品情報に関する入力および表示を行うＰＯＳレジスタ１００であって、装置本体部１に対して角度調整自在に設けられた店員用表示部３と、店員用表示部３の背面側に設けられ、掲示物を担持可能な担持部９とを有する。担持部９は店員用表示部３に対して角度調整自在に設けられている。
【００３８】
また、図１５に示したように、本発明の実施形態に係るＰＯＳレジスタは、店員用表示部３の上部に、店員用表示部に対して角度調整自在な担持部９を有していてもよい。この場合、図１５に示したＰＯＳレジスタは、図１から図７に例示したＰＯＳレジスタと比較して、大きな掲示物を担持部９から下方に担持することができる。また、店員用表示部３の上部に、上方に向けて掲示物Ｋを担持するように担持部９を構成してもよい（不図示）。
【００３９】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００４０】
以上、本発明の実施形態について説明したが、本発明の実施形態の一部または全部は、以下の付記のように記載される。
［付記１］
商品情報に関する入力および表示を行うＰＯＳレジスタであって、
装置本体部に対して角度調整自在に設けられた店員用表示部と、
前記店員用表示部の背面側または上部に設けられ、掲示物を担持可能な担持部と、を有し、
前記担持部は、前記店員用表示部に対して角度調整自在に設けられている
ことを特徴とするＰＯＳレジスタ。
［付記２］
顧客用表示部を有し、
前記担持部は、前記顧客用表示部と一体に形成されていることを特徴とする付記１または付記１に記載のＰＯＳレジスタ。
［付記３］
前記担持部は、前記掲示物を下方に向けて担持する、または、前記掲示物を上方に向けて担持するように構成されていることを特徴とする付記１または付記２に記載のＰＯＳレジスタ。
【符号の説明】
【００４１】
１  装置本体部
１ａ  プリンタ
２  入力部
３  店員用表示部
４  顧客用表示部
５  支持体
６  ヒンジ（回動支持部）
９  担持部
９ａ  台座部
９ｅ  溝部
９ｆ  ヒゲ部
１００  ＰＯＳレジスタ（ＰＯＳ端末装置）
【図１】
2014229285.tif 000003
【図２】
2014229285.tif 000004
【図３】
2014229285.tif 000005
【図４】
2014229285.tif 000006
【図５】
2014229285.tif 000007
【図６】
2014229285.tif 000008
【図７】
2014229285.tif 000009
【図８】
2014229285.tif 000010
【図９】
2014229285.tif 000011
【図１０】
2014229285.tif 000012
【図１１】
2014229285.tif 000013
【図１２】
2014229285.tif 000014
【図１３】
2014229285.tif 000015
【図１４】
2014229285.tif 000016
【図１５】
2014229285.tif 000017